(57)【特許請求の範囲】
【請求項１】
基部を本体側に固定した上下一対の案内板間に、バリカン形の切刃を有する上下一対の可動刃を挟装し、両方の可動刃を相対的に往復摺動させて切刃を擦り合わせて切断作用をなすバリカン形刈込み装置において、
前記案内板と前記可動刃間に弾性部材を配装し、
前記弾性部材とこれに対応する前記可動刃との間に当板を介装し、
前記可動刃に対し、前記弾性部材による弾性的加圧力を前記当板を介して付与したことを特徴とする、バリカン形刈込み装置。
【請求項２】
前記弾性部材は圧縮ばねであり、前記弾性的加圧力は前記圧縮ばねのばね力であり、前記圧縮ばねのばね力を外部から調整可能なばね力調整手段を付設したことを特徴とする、請求項１に記載のバリカン形刈込み装置。
【請求項３】
基部を本体側に固定した上下一対の案内板間に、バリカン形の切刃を有する上下一対の可動刃を挟装し、両方の可動刃を相対的に往復摺動させて切刃を擦り合わせて切断作用をなすバリカン形刈込み装置において、
前記案内板と前記可動刃間に圧縮ばねを配装して、前記可動刃に対しばね力を付与し、
前記圧縮ばねのばね力を外部から調整可能なばね力調整手段を付設したことを特徴とする、バリカン形刈込み装置。
【請求項４】
前記弾性部材が、一方の案内板に設けた凹部に配装した圧縮ばねであり、
前記弾性的加圧力が、前記圧縮ばねのばね力であることを特徴とする、請求項１に記載のバリカン形刈込み装置。
【請求項５】
前記圧縮ばねが、一方の案内板に設けた凹部に配装されていることを特徴とする、請求項２又は３に記載のバリカン形刈込み装置。
【発明の詳細な説明】
【０００１】
【発明の属する技術分野】
本発明は、バリカン形の切刃を有する上下一対の可動刃を長手方向に相対的に往復摺動させて切刃を擦り合わせて切断作用をなすヘッジトリマー等のバリカン形刈込み装置に関する。
【０００２】
【従来の技術】
従来より、生垣の刈込みや樹木の剪定等に用いるバリカン形の刈込み装置として、エンジンや電動モータ等の動力源からの出力を用い、バリカン形の切刃を有する細長状の上下一対の可動刃を、互いに長手方向に往復摺動させて切刃を擦り合わせて切断作用をなす手持ち式のバリカン形刈込み装置が実用されている。
【０００３】
この種のバリカン形刈込み装置において、上下一対の可動刃は、動力源を備える本体側に基部を固定した上下一対の案内板間に挟装されていて、互いに長手方向に往復摺動させられるようになっており、この場合の両方の可動刃の上下案内板間に対する挟装構成としては、可動刃の中央線上の長手方向に長孔を設け、この長孔に取付けボルトを挿通して調整ナットで止め、この調整ナットの締め付け加減で上下一対の案内板間に挟装した可動刃の摺動面圧、つまり、切刃の擦り合わせ圧を調整するようにしている。
【０００４】
【発明が解決しようとする課題】
しかしながら、前記するように調整ナットの締め付け加減で可動刃の摺動面圧を調整する構成からすると、摺動面圧を小さくするほど摺動摩擦が小さくなるので、駆動力を小さくできて摩耗を軽減することができるが、両方の可動刃の切刃の擦り合わせが甘くなって切れ味が低下する。
【０００５】
そこで、調整ナットによる締め付けを強くして可動刃の摺動面圧を大きくすると、ある程度は切れ味が向上するので、通常の刈込み作業では、可動刃の摺動面圧を比較的強目に調整した状態で用いる場合が多い。
【０００６】
しかし、案内板に可動刃を挟装する取付けボルトは可動刃の全長に亘って複数個所に設けてあるので、これらの全ての取付けボルトに対して調整ナットを手加減で調整して可動刃の全長に亘ってむらがなく、しかも、強目に摺動面圧を調整することは極めて困難なものである。
【０００７】
また、たとえ、可動刃の摺動面圧が強目に調整できたとしても、可動刃の各切刃による切れ味が可動刃全長に亘って一様になるとは限らない。また、調整ナットによる調整の拙さから、可動刃の摺動面圧が局部的に強過ぎたりすると、動力源の動作に対する負担が大きくなって円滑に動作しなくなることがあり、作業能率が低下する。また、可動刃の摺動面圧を強目にした状態での使用は、可動刃の摩耗を早めて可動刃の寿命を短くする原因にもなる。
【０００８】
そこで、本発明は、可動刃全長に亘って可動刃の摺動面圧を均等化し、動力源の動作に対する負担増がなく円滑な動作を可能にし、また、可動刃の各切刃による切れ味も可動刃全長に亘って一様になるようにして作業能率の向上を図ることができ、しかも、可動刃の耐用寿命も延長できるバリカン式刈込み装置を提供することを目的としたものである。
【０００９】
【課題を解決するための手段】
上記の目的を達成するための請求項１に係る発明は、基部を本体側に固定した上下一対の案内板間に、バリカン形の切刃を有する上下一対の可動刃を挟装し、両方の可動刃を相対的に往復摺動させて切刃を擦り合わせて切断作用をなすバリカン形刈込み装置において、前記案内板と前記可動刃間に弾性部材を配装し、前記弾性部材とこれに対応する前記可動刃との間に当板を介装し、前記可動刃に対し、前記弾性部材による弾性的加圧力を前記当板を介して付与したことを特徴とする。
また、請求項３に係る発明は、基部を本体側に固定した上下一対の案内板間に、バリカン形の切刃を有する上下一対の可動刃を挟装し、両方の可動刃を相対的に往復摺動させて切刃を擦り合わせて切断作用をなすバリカン形刈込み装置において、前記案内板と前記可動刃間に圧縮ばねを配装して、前記可動刃に対しばね力を付与し、前記圧縮ばねのばね力を外部から調整可能なばね力調整手段を付設したことを特徴とする。
【００１０】
ここで、上下一対の案内板間に対する上下一対の可動刃の挟装構造は、両方の可動刃の複数個所に長手方向に長孔を設け、この長孔と上下案内板に穿設した孔に取付けボルトを挿着して両方の案内板を取付けボルトで固定し、この固定された両方の案内板間にあって両方の可動刃は、案内板とは僅かな隙間を形成するようにして弾性部材による弾性的加圧力は付与されるものである。
【００１１】
このように構成された本発明に係るバリカン形刈込み装置によれば、案内板と可動刃間の複数個所に弾性部材を配装することにより、これらの弾性部材から可動刃に付与される弾性的加圧力の下で、可動刃全長に亘って可動刃の摺動面圧が均等化されるので、動力源の動作に対する負担増がなく円滑な動作を可能にし、可動刃の各切刃による切れ味をよくして作業能率の向上を図ることができる。また、可動刃の摺動面圧が局部的に強過ぎたりして無理な動作を強いられることもないので、可動刃の耐用寿命も延長できる。
【００１２】
本発明に適用される弾性部材としては、弾性板材等からなるものも適用できるが、請求項４又は５に係る発明のように、弾性部材が、一方の案内板に設けた凹部に配装した圧縮ばねであると、形態的には小さくても、可動刃に付与する必要な弾性的加圧力、すなわち、ばね力が簡単に得られ、しかも、案内板に対する組み付けが簡単にでき、取り扱い易くて実用的なものである。
【００１３】
また、請求項３に係る発明では、案内板に配装した弾性部材の端部を、対応する可動刃面に直接に接触させることも可能であるが、請求項１に係る発明のように、弾性部材と、これに対応する可動刃との間に当板を介装した構成にすると、可動刃に対する弾性部材の弾性的加圧力は、当板を介してむらなく可動刃の全長に亘って伝達されるので、可動刃の摺動面圧のより一層の均等化が図られる。また、可動刃面と弾性部材との直接的な触れ合いがないので、可動刃の動作上から弾性部材が直接に接触して可動刃を損傷させるようなこともない。
【００１４】
また、請求項２又は３に係る発明のように、圧縮ばねのばね力を外部から調整可能なばね力調整手段を付設した構成にすると、可動刃に付与する圧縮ばねのばね力の変更で、可動刃の全長に亘る摺動面圧を簡単に変更することができるので、刈込み対象物の性状に適合させて、最適な可動刃の摺動面圧の下での刈込み作業を能率よく遂行することができる。
【００１５】
【実施の形態】
以下、この発明の実施例を図面に基づいて説明する。
【００１６】
図１はこの発明に係るの刈込み装置の要部を示す一部を欠除した平面図、図２は要部の中央縦断面図である。
【００１７】
図１、２において、上下一対の案内板１、２の基部が、図示しない刈込み装置の本体に固定されている。
【００１８】
両方の案内板１，２間に、バリカン形の切刃３を有する上下一対の可動刃４，５を挟装している。ここで、両方の可動刃４，５には、その中央線上にあって複数個所に長手方向に長孔６を設け、この長孔６と上下案内板１，２に穿設した孔７に取付けボルト８を挿着して両方の案内板１，２を取付けボルト８で固定し、この固定された両方の案内板１，２間にあって両方の可動刃４，５は、案内板１，２との間に僅かな隙間を形成するようにしている。
【００１９】
また、両方の可動刃４，５の基部は、図示はしていないが、刈込み装置の本体内で１８０°の位相差でそれぞれに偏心回転するクランク機構を構成する上下一対の偏心盤に係合させて原動機に連結し、所定のストロークで長手方向への相対的な往復摺動を可能にしている。
【００２０】
本発明においては、一方の案内板１の中央線上にあって複数個所に凹部９を設けてこの中に、弾性部材とされる圧縮ばね１０を配装している。また、この圧縮ばね１０と、これに対応する可動刃４との間に当板１１を介装している。
【００２１】
ここで、案内板１に対する圧縮ばね１０の配装形態として、図１，２においては、案内板１に設けた貫通ねじ孔９ａに圧縮ばね１０を収容してねじ孔９ａに押えねじ１２をねじ込んで圧縮ばね１０を押さえ込み、案内板１上に突出する押えねじ１２の上部にロックナット１３を螺合して押えねじ１２の緩み防止を図っている。この場合、押えねじ１２とロックナット１３の螺合位置関係、すなわち、案内板１上に突出する押えねじ１２の突出長さや、押えねじ１２の回動角度等を変更して圧縮ばね１０によって可動刃４，５を加圧するばね力の変更を可能にしている。
【００２２】
また、前記当板１１は、案内板１の下面に重なる形で案内板に対し接離動自在設けられており、案内板１に配装した圧縮ばね１０の下端がこの当板１１上面に圧着し、当板１１下面には可動刃４が面接触して摺動するようにしたもので、圧縮ばね１０のばね力はこの当板１１を介して可動刃４の全長に亘ってむらなく伝達されるようにしている。
【００２３】
また、本発明において、案内板１に対する圧縮ばね１０の配装形態としては、特に、構造的な制約があるものではないが、前記以外の案内板１に対する圧縮ばね１０の配装形態として、例えば、図３に示すものは、案内板１の厚みの範囲内で案内板１の下面側に凹部９を設け、この凹部９に圧縮ばね１０を収容している。この場合は、可動刃４，５を加圧する圧縮ばね１０のばね力の変更は、圧縮ばね１０自体を交換して行うもので、圧縮ばね１０の配装形態としては、最も単純なものである。
【００２４】
図４（ａ）、（ｂ）に示すものは、案内板１に設けた貫通ねじ孔９ａに圧縮ばね１０を収容してこれを押えねじ１２で押さえ込み、案内板１上に突出する押えねじ１２の上面に、金属薄板製の覆板１４を被せ、この覆板１４の一端部を止めねじ１５を用いて案内板１に止着して押えねじ１２の緩み止めを図っている。
【００２５】
図５（ａ）、（ｂ）に示すものは、圧縮ばね１０を押さえ込む押えねじ１２の上面に被せる覆板１６をプラスチック製とし、この覆板１６の両端部を止めねじ１５を用いて案内板１に止着して押えねじ１２の緩み止めを図っている。
【００２６】
図６に示すものは、貫通ねじ孔９ａに収容した圧縮ばね１０を頭付き押えねじ１２ａで押さえ込むようにし、ここでは、案内板１とねじ頭部間に、弾力的に滑り止め機能を有するスペーサ１７を介装して頭付き押えねじ１２ａの緩み止めを図るとともに、スペーサ１７の厚みを変えることで、圧縮ばね１０により可動刃４，５を加圧するばね力の変更も可能にしている。
【００２７】
上記構成において、上下一対の可動刃４，５は、上下一対の案内板１，２間にあって、案内板１側から圧縮ばね１０によって加圧されるので、可動刃４，５は、その全長に亘って摺動面圧が均等化される。こうして、可動刃４，５の各切刃３の擦り合わせも、圧縮ばね１０による加圧下に行われるので切れ味がよく、作業能率の向上を図ることができる。また、必要に応じて、可動刃４，５を加圧する圧縮ばね１０のばね力を変更して、可動刃４，５の全長に亘る摺動面圧を簡単に変更することができるので、刈込み対象物の性状に適合させて、最適な可動刃４，５の摺動面圧の下で各種の刈込み作業を能率よく遂行することができる。
【００２８】
【発明の効果】
本発明は、以上説明したような形態で実施され、本発明によれば、案内板と可動刃間に弾性部材を配装し、この弾性部材からの弾性的加圧力を可動刃に付与して可動刃の全長に亘って可動刃の摺動面圧を均等化するので、従来のような調整ナットを手加減で調整するような面倒な操作を必要とせず、円滑な動作を可能にして作業能率を向上することができる。また、可動刃の全長に亘る摺動面圧を簡単に変更することができるので、刈込み対象物の性状に適合させて、最適な可動刃の摺動面圧の下で各種の刈込み作業を能率よく遂行することができる。
【図面の簡単な説明】
【図１】本発明の実施の形態を示す刈込み装置の要部の一部を欠除した平面図である。
【図２】本発明の実施の形態を示す刈込み装置の要部の中央縦断面図である。
【図３】案内板に対する圧縮ばねの配装形態を示す要部の断面図である。
【図４】図４（ａ）は案内板に対する別の圧縮ばねの配装形態を示す要部の断面図、図４（ｂ）は同要部の平面図である。
【図５】図５（ａ）は案内板に対するまた別の圧縮ばねの配装形態を示す要部の断面図、図５（ｂ）は同要部の平面図である。
【図６】案内板に対するまた別の圧縮ばねの配装形態を示す要部の断面図である。
【符号の説明】
１  案内板
２  案内板
３  切刃
４  可動刃
５  可動刃
６  長孔
７  孔
８  取付ボルト
９  凹部
９ａ  貫通ねじ孔
１０  圧縮ばね
１１  当板
１２  押えねじ
１３  ロックナット
１４  覆板
１５  止めねじ
１６  覆板
１７  スペーサ
【図１】
0004293758.tif 000002
【図２】
0004293758.tif 000003
【図３】
0004293758.tif 000004
【図４】
0004293758.tif 000005
【図５】
0004293758.tif 000006
【図６】
0004293758.tif 000007